(57)【要約】【課題】  正しく映像を表示しているか、あるいは故障していないかを検知することができる表示装置を提供する。【解決手段】  表示駆動部１２が、映像表示部１１の監視用映像表示領域２１に表示すべき障害監視用の映像情報を映像として表示させ、カラーセンサ１６およびセンサ入力処理部２３によって、障害監視用の映像情報が映像として表示されたときの色を表す色情報を検出し、障害監視用の映像情報の色情報と、前記検出した色情報とを比較する。この色情報が異なれば、表示すべきカラーの映像が正しく表示されていないと判断し、警報出力部１８が障害発生情報を出力する。【選択図】      図１
2008165055.tif 000002
【特許請求の範囲】
【請求項１】
映像を表示可能な表示部と、
原映像信号に、前記表示部の予め定める領域に表示すべき障害監視用の映像情報を付加して成る映像信号に応じて、映像を前記表示部に表示させる駆動部と、
前記表示部の前記予め定める領域からの光を取得して、色情報を検出する検出部と、
比較の基準となる色情報と、前記検出部によって検出した色情報とを比較する比較部と、
前記比較部による比較結果に基づいて色情報が異なっているとき、障害が発生したことを表す障害発生情報を出力する出力部とを含むことを特徴とする表示装置。
【請求項２】
前記駆動部および前記比較部は、前記映像信号を出力する映像信号出力装置に接続可能であり、
前記駆動部は、前記映像信号出力装置から前記映像信号を取得し、
前記比較部は、前記映像信号出力装置から障害監視用の映像情報に含まれる色情報を取得することを特徴とする請求項１記載の表示装置。
【請求項３】
前記映像信号を出力する映像信号出力装置に接続可能であり、前記映像信号から障害監視用の映像情報に含まれる色情報を分離する監視用映像分離部を含み、
前記比較部は、監視用映像分離部から障害監視用の映像情報に含まれる色情報を取得することを特徴とする請求項１記載の表示装置。
【請求項４】
前記障害監視用の映像情報を生成する映像生成部と、
原映像信号に、前記映像生成部によって生成した映像情報を付加して映像信号を生成し、生成した映像信号を前記駆動部に与える映像混合部とを含み、
前記比較部は、映像混合部から障害監視用の映像情報に含まれる色情報を取得することを特徴とする請求項１記載の表示装置。
【請求項５】
映像を表示可能な表示部と、
前記表示装置に発生する予め定める障害を検出する障害検出部と、
前記障害検出部によって検出した検出結果に応じて、前記表示部の予め定める領域に表示すべき障害監視用の映像情報を生成する映像生成部と、
原映像信号に、前記映像生成部によって生成した映像情報を付加して映像信号を生成する映像混合部とを含み、
前記映像混合部によって生成された映像信号に応じて、映像を前記表示部に表示させる駆動部と、
前記表示部の前記予め定める領域からの光を取得して、色情報を検出する検出部と、
前記比較用の映像情報に含まれる色情報と、前記検出部によって検出した色情報とを比較する比較部と、
前記比較部による比較結果に基づいて、障害が発生したことを表す障害発生情報を出力する出力部とを含むことを特徴とする表示装置。
【請求項６】
前記比較部は、比較用の映像情報に含まれる色情報と、前記検出部によって検出した複数の色成分に対応する色情報とをそれぞれ比較し、
前記出力部は、前記検出部によって検出した色情報と比較用の映像情報に含まれる色情報とが異なるとき、色情報が異なる色成分に対応する障害発生情報を出力することを特徴とする請求項５記載の表示装置。
【請求項７】
映像を表示可能な表示部と、
輝度監視用の映像情報を生成する映像生成部と、
映像信号に、前記映像生成部によって生成した映像情報を付加して映像信号を生成し、生成した映像信号を前記駆動部に与える映像混合部と、
前記映像混合部によって混合された映像信号に応じて、映像を前記表示部に表示させる駆動部と、
前記表示部の前記予め定める領域からの光を取得して、輝度情報を検出する検出部と、
前記比較部による比較結果に基づいて、検出部によって検出した輝度情報と、予め定める輝度情報とが異なっているとき、障害が発生したことを表す障害発生情報を出力する出力部とを含むことを特徴とする表示装置。
【請求項８】
前記予め定める領域は、表示部の表示領域うち、筐体から露出する領域を除く残余の領域に含まれることを特徴とする請求項１〜７のいずれか１つに記載の表示装置。
【発明の詳細な説明】
【技術分野】
【０００１】
本発明は、映像を表示可能な表示装置に関し、映像信号出力装置に接続されて用いられる表示装置に関する。
【背景技術】
【０００２】
従来の技術では、フォトインタラプタによって液晶表示セルが光透過状態にあるときの透光量と光不透過状態にあるときの透光量とを検出して、制御部がその透光量を比較し、その差が所定値以上となるように液晶駆動電源回路の電源電圧を可変することによって液晶駆動表示装置のコントラストを最適に調整する液晶表示装置が開示されている（たとえば特許文献１参照）。
【０００３】
【特許文献１】特開平７−４４１２３号公報
【発明の開示】
【発明が解決しようとする課題】
【０００４】
フォトインタラプタによって液晶表示セルの透過光量を検出する構成では、液晶表示セルに印加する電圧の制御はできるが、映像信号に応じて実際に表示される映像が、表示すべき映像となっているかはが分からない。
【０００５】
したがって本発明の目的は、正しく映像を表示しているか、あるいは故障していないかを検知することができる表示装置を提供することである。
【課題を解決するための手段】
【０００６】
本発明は、映像を表示可能な表示部と、
原映像信号に、前記表示部の予め定める領域に表示すべき障害監視用の映像情報を付加して成る映像信号に応じて、映像を前記表示部に表示させる駆動部と、
前記表示部の前記予め定める領域からの光を取得して、色情報を検出する検出部と、
比較の基準となる色情報と、前記検出部によって検出した色情報とを比較する比較部と、
前記比較部による比較結果に基づいて色情報が異なっているとき、障害が発生したことを表す障害発生情報を出力する出力部とを含むことを特徴とする表示装置である。
【０００７】
また本発明は、前記駆動部および前記比較部は、前記映像信号を出力する映像信号出力装置に接続可能であり、
前記駆動部は、前記映像信号出力装置から前記映像信号を取得し、
前記比較部は、前記映像信号出力装置から障害監視用の映像情報に含まれる色情報を取得することを特徴とする。
【０００８】
また本発明は、前記映像信号を出力する映像信号出力装置に接続可能であり、前記映像信号から障害監視用の映像情報に含まれる色情報を分離する監視用映像分離部を含み、
前記比較部は、監視用映像分離部から障害監視用の映像情報に含まれる色情報を取得することを特徴とする。
【０００９】
また本発明は、前記障害監視用の映像情報を生成する映像生成部と、
原映像信号に、前記映像生成部によって生成した映像情報を付加して映像信号を生成し、生成した映像信号を前記駆動部に与える映像混合部とを含み、
前記比較部は、映像混合部から障害監視用の映像情報に含まれる色情報を取得することを特徴とする。
【００１０】
また本発明は、映像を表示可能な表示部と、
前記表示装置に発生する予め定める障害を検出する障害検出部と、
前記障害検出部によって検出した検出結果に応じて、前記表示部の予め定める領域に表示すべき障害監視用の映像情報を生成する映像生成部と、
原映像信号に、前記映像生成部によって生成した映像情報を付加して映像信号を生成する映像混合部とを含み、
前記映像混合部によって生成された映像信号に応じて、映像を前記表示部に表示させる駆動部と、
前記表示部の前記予め定める領域からの光を取得して、色情報を検出する検出部と、
前記比較用の映像情報に含まれる色情報と、前記検出部によって検出した色情報とを比較する比較部と、
前記比較部による比較結果に基づいて、障害が発生したことを表す障害発生情報を出力する出力部とを含むことを特徴とする表示装置である。
【００１１】
また本発明は、前記比較部は、比較用の映像情報に含まれる色情報と、前記検出部によって検出した複数の色成分に対応する色情報とをそれぞれ比較し、
前記出力部は、前記検出部によって検出した色情報と比較用の映像情報に含まれる色情報とが異なるとき、色情報が異なる色成分に対応する障害発生情報を出力することを特徴とする。
【００１２】
また本発明は、映像を表示可能な表示部と、
輝度監視用の映像情報を生成する映像生成部と、
映像信号に、前記映像生成部によって生成した映像情報を付加して映像信号を生成し、生成した映像信号を前記駆動部に与える映像混合部と、
前記映像混合部によって混合された映像信号に応じて、映像を前記表示部に表示させる駆動部と、
前記表示部の前記予め定める領域からの光を取得して、輝度情報を検出する検出部と、
前記比較部による比較結果に基づいて、検出部によって検出した輝度情報と、予め定める輝度情報とが異なっているとき、障害が発生したことを表す障害発生情報を出力する出力部とを含むことを特徴とする表示装置である。
【００１３】
また本発明は、前記予め定める領域は、表示部の表示領域うち、筐体から露出する領域を除く残余の領域に含まれることを特徴とする。
【発明の効果】
【００１４】
本発明によれば、駆動部が、原映像信号に、表示部の予め定める領域に表示すべき障害監視用の映像情報を付加して成る映像信号に応じて、表示部に映像を表示させることによって、表示部の予め定める領域には、障害監視用の映像情報が映像として表示される。検出部が、障害監視用の映像情報が映像として表示されたときの色を表す色情報を検出し、比較の基準となる色情報と、前記検出した色情報とを比較する。検出部によって検出された色情報は、障害監視用の映像情報の色情報と同じ色を表すはずであるが、この色情報が異なれば、表示すべきカラーの映像が正しく表示されていないと判断でき、出力部が障害発生情報を出力することによって、表示装置の故障を知ることができる。
【００１５】
また本発明によれば、映像信号出力装置から映像信号および障害監視用の映像情報に含まれる色情報を取得するので、表示装置では映像信号をそのまま駆動手段によって表示すればよいので、装置の構成が複雑化することが防止される。
【００１６】
また本発明によれば、監視用映像分離部によって映像信号から障害監視用の映像情報に含まれる色情報を分離し、この分離した障害監視用の映像情報に含まれる色情報を比較部で用いることによって、映像信号が供給されるラインと、障害監視用の映像情報が含まれる色情報を供給するラインとを別々に設ける必要がなく、表示装置とこの表示装置に接続される映像音声出力装置との接続配線を少なくすることができる。
【００１７】
また本発明によれば、映像信号に、映像混合部が前記映像生成部によって生成した映像情報を付加するので、外部から映像信号を供給する映像信号源が、ＤＶＤ（Digital     versatile Disk）などの再生装置であればよく、どのような映像信号源にも対応して表示を行うとともに、また障害の発生を知ることができる。
【００１８】
また本発明によれば、たとえば温度および振動などの表示装置に発生し得る障害が発生すると、障害検出部が検出して、映像生成部が障害検出部の検出結果に応じて、前記表示部の予め定める領域に表示すべき障害監視用の映像情報を生成する。映像生成部が、映像信号に、前記障害監視用の映像情報を付加して映像信号を生成し、駆動部が、映像信号に応じて、表示部に映像を表示させることによって、表示部の予め定める領域には、障害監視用の映像情報が映像として表示される。検出部が、障害監視用の映像情報が映像として表示されたときの色を表す色情報を検出し、比較用の映像情報の色情報と、前記検出した色情報とを比較する。検出部によって検出された色情報は、発生した予め定める障害に応じた色を表すので、この色に応じて、予め定める障害が発生していると判断でき、出力部が障害発生情報を出力することによって、表示装置の故障を知ることができる。
【００１９】
また本発明によれば、比較部は、比較用の映像情報に含まれる色情報と、検出部によって検出した複数の色成分に対応する色情報とをそれぞれ比較し、出力部は、前記検出部によって検出した色情報と比較用の映像情報に含まれる色情報とが異なるとき、色情報が異なる色成分に対応する障害発生情報を出力するので、複数の障害のうちどの障害が発生したのかが判り、これによって障害への対応を速やかに行うことができる。
【００２０】
また本発明によれば、駆動部が、原映像信号に、表示部の予め定める領域に表示すべき輝度監視用の映像情報を付加して成る映像信号に応じて、表示部に映像を表示させることによって、表示部の予め定める領域には、輝度監視用の映像情報が映像として表示される。検出部が、輝度監視用の映像情報が映像として表示されたときの色を表す色情報を検出し、輝度比較部輝度監視用の映像情報の輝度情報と、前記検出した色情報とを比較する。検出部によって検出された輝度情報は、輝度監視用の映像情報の色情報と同じ輝度を表すはずであるが、この輝度情報が異なれば、表示すべき映像が正しく表示されていないと判断でき、出力部が障害発生情報を出力することによって、表示装置の故障を知ることができる。また映像信号に、映像混合部が前記映像生成部によって生成した映像情報を付加するので、外部から映像信号を供給する映像信号源が、ＤＶＤ（Digital versatile Disk）まどの再生装置であればよく、どのような映像信号源にも対応して表示を行うとともに、また障害の発生を知ることができる。
【００２１】
また本発明によれば、予め定める領域は、表示部の表示領域うち、筐体から露出する領域を除く残余の領域に含まれるので、映像信号に付加された情報が表示されても、表示装置を観察する観察者からは見えないので、観察者に対して表示すべき映像だけを見せることができる。
【発明を実施するための最良の形態】
【００２２】
図１は、本発明の実施の一形態の表示装置１と映像信号源２とを含む表示システム３の電気的構成を示すブロック図である。図２は、表示システム３の外観図である。表示装置１は、たとえば看板のように用いられるインフォメーションディスプレイであって、遠隔地の管理施設に設けられる映像信号源２から与えられる映像信号に応じて映像を表示する。
【００２３】
表示システム３は、表示装置１と映像信号出力装置である映像信号源２とを含む。表示装置１は、映像表示部１１と、表示駆動部１２と、バックライト１３と、バックライト駆動部１４と、制御部１５と、カラーセンサ１６と、監視機器１７と、警報出力部１８とを含んで構成される。
【００２４】
映像表示部１１は、映像（画像）を表示可能な表示部であり、透過型の液晶表示パネルによって実現される。表示駆動部１２は、液晶駆動のドライバであって、映像信号に応じて映像表示部１１に映像を表示する。また表示駆動部１２は、制御部１５の指令に応じて映像を表示し、映像表示部１１の予め定める領域、ここでは監視用映像表示領域２１に表示すべき障害監視用の映像情報を付加して成る映像信号（以下、監視用映像付映像信号という場合がある）に応じて、映像表示部１１に映像を表示する。映像表示部１１には、監視用映像表示領域２１と通常映像表示領域２２とが設けられ、監視用映像表示領域２１には障害監視用の映像情報が映像として表示され、通常映像表示領域２２には表示装置１が対象とする観察者に観察されるべき映像情報（原映像情報）が映像として表示される。
【００２５】
バックライト１３は、映像表示部１１の背後に設けられ、発光する。バックライト１３は、たとえば蛍光灯および冷陰極線管などによって実現される。バックライト駆動部１４は、制御部１５の指令に応じてバックライト１３に電力を供給して、バックライト１３を点灯させる。
【００２６】
制御部１５は、表示駆動部１２とバックライト駆動部１４とを制御する。制御部１５は、中央演算装置（ＣＰＵ）と、制御プログラムを記録したＲＯＭ（Read Only Memory）などの記録媒体とを含んで構成される。制御部１５は、前記制御プログラムをＣＰＵが実行処理することによって実現される。制御部１５の制御動作については、後述する。
【００２７】
カラーセンサ１６は、赤（Ｒ）、青（Ｇ）、緑（Ｂ）の各色を検出可能な光学センサであって、たとえばフォトダイオードによって実現される。カラーセンサ１６は、監視用映像表示領域からの光を取得し、光電変換して取得した光に応じた電気信号を出力する。
【００２８】
監視機器１７は、センサ入力処理部２３と、色比較部２４とを含んで構成される。センサ入力処理部２３は、カラーセンサ１６から与えられる電気信号に応じて、赤（Ｒ）、青（Ｇ）および緑（Ｂ）のそれぞれの色情報を生成する。カラーセンサ１６およびセンサ入力処理部２３は、検出部を構成する。センサ入力処理部２３は、アナログデジタル変換器を有し、赤（Ｒ）、青（Ｇ）および緑（Ｂ）の光にそれぞれ対応するアナログの電気信号を、アナログデジタル変換によって、デジタルデータにする。このデジタルデータは、カラーセンサ１６に入力された赤（Ｒ）、青（Ｇ）および緑（Ｂ）のそれぞれの光の強度に対応し、光の強度を、たとえば２５６段階の数値で表す。
【００２９】
色比較部２４は、映像信号源２から与えられる監視用映像の映像情報を取得して、取得した障害監視用の映像情報に含まれる色情報、すなわち比較の基準となる色情報と、検出部によって検出した色情報、すなわちセンサ入力処理部２３によって変換された色情報とを比較する。障害監視用の映像情報に含まれる色情報は、障害監視用の映像情報の色を表し、表示するときの赤（Ｒ）、青（Ｇ）および緑（Ｂ）の光の強度に対応するデジタルデータで表される。このデジタルデータは、たとえば２５６段階の数値を表す。色比較部２４は、色情報を比較し、すなわち前記デジタルデータが表す数値を比較する。
【００３０】
色比較部２４は、比較結果に基づいて色情報が異なっているとき、言い換えれば色比較部２４は、２つの色情報に予め定める誤差が生じているとき、すなわち２つのデジタルデータが表す数値が予め定める閾値以上の差となったときには、障害が発生したことを、警報出力部１８に知らせる。予め定める閾値は、階調値を２５６段階の数値で表すとき、たとえば、５〜１０程度に選ばれる。このように色情報が異なっているか否かを判断するときに、同じ色とみなせる範囲に幅を持たせることによって、検出誤差によって生じる誤検出を防止することができる。赤、青、緑の階調値は、赤、青、緑の光の強度にそれぞれ対応し、赤、青、緑の階調値が大きくなるほど、赤、青、緑の光の強度はそれぞれ大きくなるとする。
【００３１】
警報出力部１８は、色比較部２４から障害が発生したことを通知されると、映像信号源２に障害が発生したことを表す障害発生情報を与える。警報出力部１８は、ＬＡＮ（    Local Area Network）２５などによって実現されるネットワークを介して映像信号源２の後述する報知部３４に接続される。色比較部２４によって、表示装置１が正しく映像を表示しているか、あるいは故障していないかを検知することができる。
【００３２】
また警報出力部１８は、表示駆動部１２に指令を与えて、映像表示部１１に障害が発生したことを表す障害発生情報を表示させてもよく、さらに表示装置１にスピーカを設け、警報出力部１８が、前記スピーカから障害発生情報を音声として出力させてもよい。映像信号源２が設けられる管理施設が表示装置１に隣接する場合には、このような構成であっても、表示装置１の異常を検出することができ、また表示装置１を見た人から管理会社に表示装置１が異常であるとの連絡が伝達されることによって、管理施設において表示装置１の異常を確認することができる。
【００３３】
映像信号源２は、映像信号出力装置であって、たとえばパーソナルコンピュータなどによって実現される。映像信号源２は、映像生成部３１と、監視用映像生成部３２と、監視用映像混合部３３と、報知部３４とを含んで構成される。映像生成部３１は、表示装置１が対象とする観察者に観察されるべき映像信号（以下、原映像信号という場合がある）を生成する。映像生成部３１は、記録媒体に記録される原映像信号を読み出し可能な読み出し装置、および原映像信号を記憶したメモリなどの記録装置の少なくともいずれか１つを含んで構成される。映像生成部３１は、記録媒体、または記録装置から読み出した原映像信号を監視用映像混合部３３に与える。映像生成部３１は、映像信号源２に設けられる図示しない操作部からの操作指令に応じて動作する。
【００３４】
監視用映像生成部３２は、障害監視用の映像情報を記憶するメモリを含んで構成される。障害監視用の映像情報は、赤（Ｒ）、青（Ｇ）および緑（Ｂ）の色の階調値にそれぞれ対応したデジタルデータである。監視用映像生成部３２は、障害監視用の映像情報を監視用映像混合部３３に与る。また監視用映像生成部３２は、ＬＡＮ２５を介して色比較部２４と接続され、色比較部に障害監視用の映像情報を与える。
【００３５】
監視用映像混合部３３は、映像生成部３１から与えられる映像信号に、監視用映像生成部３２から与えられる映像情報を付加する。監視用映像混合部３３は、具体的には、映像生成部３１から与えられる映像信号を映像情報に変換し、監視用映像生成部３２から与えられる映像情報を合成し一つの映像情報とした後、再度映像信号に変換する。監視用映像混合部３３は、映像信号に、障害監視用の映像情報を付加して成る映像信号を生成して、出力する。監視用映像混合部３３と表示駆動部１２とはＬＡＮ２５を介して接続され、映像信号は、表示駆動部１２に与えられる。
【００３６】
報知部３４は、警報出力部１８から障害発生情報が与えられると、障害が発生したことを利用者に報知する。報知部３４は、たとえば液晶表示装置などの映像表示装置およびスピーカなどの音声出力装置を含んで構成され、障害の発生を表す情報を映像表示装置に表示させたり、音声出力装置から出力したりする。これによって映像信号源２が、表示装置１から離間した遠隔地の管理施設などに設けられていても、管理施設において管理者に、表示装置１に障害が発生したことを報知することができる。これによって、表示装置１の異常に対して速やかに対応することができるようになる。
【００３７】
図３は、図２の切断面線ＩＩＩ−ＩＩＩから見た断面図である。表示装置１の映像表示部１１と、表示駆動部１２と、バックライト１３と、バックライト駆動部１４と、制御部１５と、カラーセンサ１６と、監視機器１７と、警報出力部１８との各部は、キャビネット３５に保持される。キャビネット３５は、表示領域の一部分を隠すように覆い、映像表示部１１の通常映像表示領域２２を露出させ、かつ映像表示部１１の監視用映像表示領域２１を覆うように映像表示部１１を保持する。表示装置１のうち映像表示部１１を除く各部は、キャビネット３５と映像表示部１１との間に形成される空間に収容される。監視用映像表示領域２１は、映像表示部１１の全表示領域のうちの端部に設けられる。ここでは、表示装置１の表示面は矩形状に形成され、監視用映像表示領域２１は、前記表示面の長手方向の端部に設けられる。キャビネット３５が覆う監視用映像表示領域２１は、映像表示部１１の縦方向および横方向の少なくとも一方の１ライン分の画素を含み、本実施の形態では複数ライン分の画素を含む。本実施形態では、監視用映像表示領域２１には、長手方向の一端部に位置する画素を含む。
【００３８】
バックライト１３は、映像表示部１１の背後に設けられて、映像表示部１１の背後の全領域にわたって光を照射する。表示駆動部１２と、バックライト駆動部１４と、制御部１５と、監視機器１７と、警報出力部１８とは、バックライト１３とキャビネット３５との間の空間に設けられる回路基板上にこれらを実現する電子部品を実装して形成される。
【００３９】
カラーセンサ１６は、映像表示部１１の監視用映像表示領域２１に臨んで設けられる。カラーセンサ１６は、キャビネット３５の縁部分で、キャビネット３５と映像表示部１１とによって形成される外光が入らない空間に形成される。これによってカラーセンサ１６によって得られる電気信号の信頼性を向上させることができる。カラーセンサ１６は、監視用映像表示領域２１内の複数画素の光を受光するように構成され、たとえば４８０画素程度の光を受光する。
【００４０】
図４は、映像信号に基づいて映像表示部１１に映像を表示させて示す図である。図４（１）は、原映像、すなわちキャビネット３５によって隠していない部分（通常映像表示領域２２）に表示される映像を示す。図４（２）は、監視用映像付映像、すなわち映像表示部１１の全表示領域（通常映像表示領域２２および監視用映像表示領域２１）に表示される映像を示す。図４（３）は、表示装置１において外部から観察される表示結果を示す図である。図４（３）に示すように、監視用映像表示領域２１は、筐体であるキャビネット３５から露出する領域を除く残余の領域に含まれ、キャビネット３５によって隠されているので、監視用映像が表示装置を観察する観察者の目に触れることはなく、監視用映像を映像信号を付加して表示させても、観察者に対して表示すべき映像のみを提供することができる。
【００４１】
図５は、表示装置１の動作処理を示すフローチャートである。表示装置１において電源を投入すると、制御部１５がバックライト駆動部１４にバックライトを点灯させる指令を与え、また表示駆動部１２に、与えられる映像信号に応じて映像表示部１１に映像を表示させる指令を与える。映像信号源２において操作部から操作指令が与えられて、監視用映像混合部３３から表示駆動部１２に映像信号が与えられ、監視用映像生成部３２から監視用映像が色比較部２４に与えられると、映像信号に応じて表示駆動部１２が映像を表示してステップａ０からステップａ１に移る。監視用映像は、赤、青および緑の色成分を含む予め定める単一色の映像としておく。表示駆動部１２は、以下の動作処理とは並行に動作して、与えられる映像信号に応じて映像表示部１１に映像を表示する。
【００４２】
ステップａ１では、色比較部２４が監視用映像に含まれる色情報を取得して、ステップａ２に移る。
【００４３】
ステップａ２では、カラーセンサ１６およびセンサ入力処理部２３によって画面の監視用映像表示領域２１からの光に応じて色情報を取得して、ステップａ３に移る。
【００４４】
ステップａ３では、センサ入力処理部２３が、ステップａ３で得られた色情報から、赤、青および緑の３原色の色情報を分離して、ステップａ４に移る。
【００４５】
ステップａ４では、色比較部２４が、ステップａ２で取得した色情報と、ステップａ４で得られた色情報の赤色の成分の誤差が、予め定める閾値未満であるか否かが判断される。ステップａ４で、予め定める閾値未満であると判断すると、ステップａ５に移る。
【００４６】
ステップａ５では、色比較部２４が、ステップａ２で取得した色情報と、ステップａ４で得られた色情報の青色の成分の誤差が、予め定める閾値未満であるか否かが判断される。ステップａ５で、予め定める閾値未満であると判断すると、ステップａ６に移る。
【００４７】
ステップａ６では、色比較部２４が、ステップａ２で取得した色情報と、ステップａ４で得られた色情報の緑色の成分の誤差が、予め定める閾値未満であるか否かが判断される。ステップａ６で、予め定める閾値未満であると判断すると、ステップａ７に移る。
【００４８】
ステップａ７では、色比較部２４が、色比較部２４に付設されるタイマを監視して、予め定める時間の経過を監視し、予め定める時間が経過すると、ステップａ１に移る。
【００４９】
前述したステップａ４、ステップａ５およびステップａ６において、誤差が予め定める閾値以上であると判断すると、ステップａ８に移る。ステップａ８では、警報出力部１８が、報知部３４に、警告を表示させる障害発生情報、および警告音を出力させるための障害発生情報の少なくともいずれか一方を与えて、ステップａ９に移り処理動作を終了する。またステップｄ８では、警報出力部１８が、映像表示部１１に、警告を表示させたり、スピーカから警告音を出力させたりしてもよい。図５に示すフローチャートは、表示装置１への電力の供給を停止することによって終了する。
【００５０】
以上のように表示装置１では、表示駆動部１２が、映像表示部１１の監視用映像表示領域２１に表示すべき障害監視用の映像情報を映像として表示させ、カラーセンサ１６およびセンサ入力処理部２３によって、障害監視用の映像情報が映像として表示されたときの色を表す色情報を検出し、障害監視用の映像情報の色情報と、前記検出した色情報とを比較する。カラーセンサ１６およびセンサ入力処理部２３によって検出された色情報は、障害監視用の映像情報の色情報と同じ色を表すはずであるが、この色情報が異なれば、表示すべきカラーの映像が正しく表示されていないと判断し、警報出力部１８が障害発生情報を出力することによって、表示装置１から離間した遠隔地の管理施設などに映像信号源２が設けられていても、表示装置１の管理者は、表示装置１に障害が発生したことを知ることができる。
【００５１】
また表示装置１では、表示されるべき障害監視用の映像情報の色情報と、実際に映像表示部１１で表示された映像の色情報とを比較することによって、カラーの映像を正しく表示しているのか否かを、高い信頼度で検出することができる。したがって、表示装置１を修理すべきか否かの判断を高い信頼度で行うことができる。
【００５２】
また表示装置１は、映像信号源２から映像信号および障害監視用の映像情報に含まれる色情報を取得するので、表示装置１では映像信号をそのまま表示駆動部１２によって表示すればよいので、装置の構成が複雑化することが防止される。
【００５３】
また表示装置１では、障害の発生を検出することができるので、障害の発生時、すなわち故障時に迅速に対応することができ、インフォメーションディスプレイとして用いるときに、広告として表示すべき映像が表示されないままになってしまう状態を早急に解決することができるようになり、インフォメーションディスプレイとしての信頼性を向上させることができる。
【００５４】
また表示装置１では、たとえばドット抜けなどの画素に依存する不具合を除くと、映像が正しく表示されていなければ、確実に検知することができる。カラーセンサ１６は、赤、青および緑色が表示されているか否かがわかる程度の安価なものによって構成することができ、製造コストの上昇を抑制することができる。
【００５５】
前述した本発明の他の実施の形態では、予め定める時間が経過するごとに、監視用映像生成部３２が生成する監視用映像の色を変えることによって、異常の検出の信頼性をより向上することができる。予め定める時間は、たとえば表示装置１における検出周期に等しく選ばれる。
【００５６】
図６は、本発明の実施の他の形態の表示装置４１と映像信号源４２とを含む表示システム４３の電気的構成を示すブロック図である。表示システム４３は、表示装置４１と映像信号源４２とを含む。表示装置４１は、前述の実施の形態の表示装置１に類似する構成を有するので、同様の部分には同様の参照符号を付してその説明を省略する。また映像信号源４２は、前述した映像信号源２と類似する構成を有するので、同様の部分には同様の参照符号を付してその説明を省略する。
【００５７】
表示装置４１は、映像表示部１１と、表示駆動部１２と、バックライト１３と、バックライト駆動部１４と、制御部１５と、カラーセンサ１６と、センサ入力処理部２３と、色比較部２４と、警報出力部１８と、監視用映像分離部４４とを含んで構成される。映像信号源４２は、映像生成部３１と、監視用映像生成部３２と、監視用映像混合部３３と、報知部３４とを含んで構成される。
【００５８】
監視用映像分離部４４は、監視用映像混合部３３にＬＡＮ２５を介して接続される。監視用映像分離部４４は、監視用映像混合部３３から映像信号が与えられると、映像信号から原映像情報と監視用の映像情報とを分離して、分離した監視用の映像情報の映像信号を色比較部２４および表示駆動部１２にそれぞれ与える。また監視用映像分離部４４は、分離した原映像情報の映像信号と、表示駆動部１２に与える。
【００５９】
表示駆動部１２は、原映像と監視用の映像情報との映像信号とに応じて、映像表示部１１に映像を表示する。表示駆動部１２は、原映像信号に応じて通常映像表示領域２２に映像を表示し、監視用の映像情報を表す映像信号に応じて監視用映像表示領域２１に映像を表示する。
【００６０】
前述の図１に示す実施の形態では、色比較部２４と監視用映像生成部３２とは、ＬＡＮによって接続されていたが、本実施の形態では、色比較部２４には監視用映像分離部４４から監視用の映像情報が与えられ、すなわち色比較部２４には監視用映像分離部４４から監視用の映像情報に含まれる色情報が与えられ、色比較部２４と監視用映像生成部３２とは接続されていない。
【００６１】
図７は、表示装置４１の動作処理を示すフローチャートである。表示装置４１において電源を投入すると、制御部１５がバックライト駆動部１４にバックライトを点灯させる指令をあたえ、また表示駆動部１２に、与えられる映像信号に応じて映像表示部１１に映像を表示させる指令を与える。映像信号源２において操作部から操作指令が与えられ、監視用映像混合部３３から監視用映像分離部４４に映像信号が与えられると、ステップｂ０からステップｂ１に移る。監視用映像は、赤、青および緑の色成分を含む予め定める単一色の映像としておく。表示駆動部１２は、以下の動作処理とは並行に動作して、与えられる映像信号に応じて映像表示部１１に映像を表示する。
【００６２】
ステップｂ１では、監視用映像分離部４４が、入力映像、すなわち監視用映像付映像信号から原映像信号と監視用映像を表す映像信号との分離処理を開始して、ステップｂ２に移る。
【００６３】
ステップｂ２からステップｂ１０までの各動作処理は、前述した図５に示すフローチャートのステップａ１からステップａ９までの各ステップにそれぞれ対応し、それぞれ同様であるので、その説明を省略する。図７に示すフローチャートは、表示装置４１への電力の供給を停止することによって終了する。
【００６４】
本実施の形態では、監視用映像分離部４４を表示装置４１に設けることによって、前述の実施の形態と同様な効果を達成することができ、また前述の実施の形態と比較して表示装置４１と映像信号源４２とを接続する線路の数を少なくすることができる。
【００６５】
図８は、本発明の実施の他の形態の表示装置５１と映像信号源５２とを含む表示システム５３の電気的構成を示すブロック図である。
【００６６】
表示システム５３は、表示装置５１と映像信号源５２とを含む。表示装置５１は、前述の実施の形態の表示装置１に類似する構成を有するので、同様の部分には同様の参照符号を付してその説明を省略する。また映像信号源５２は、前述した映像信号源２と類似する構成を有するので、同様の部分には同様の参照符号を付してその説明を省略する。
【００６７】
表示装置５１は、映像表示部１１と、表示駆動部１２と、バックライト１３と、バックライト駆動部１４と、制御部１５と、カラーセンサ１６と、センサ入力処理部２３と、色比較部２４と、警報出力部１８と、監視用映像生成部３２と、監視用映像混合部３３とを含んで構成される。映像信号源５２は、映像生成部３１と、報知部３４とを含んで構成される。
【００６８】
表示装置１は、図１に示す実施の形態の表示装置１の構成に加えて、監視用映像生成部３２と、監視用映像混合部３３とを含む構成である。映像生成部３１は、ＬＡＮ２５を介して監視用映像混合部３３に接続され、監視用映像生成部３２は、色比較部２４に監視用の映像情報を与える。
【００６９】
図９は、表示装置５１の動作処理を示すフローチャートである。表示装置５１において電源を投入すると、制御部１５がバックライト駆動部１４にバックライトを点灯させる指令をあたえ、また表示駆動部１２に、与えられる映像信号に応じて映像表示部１１に映像を表示させる指令を与える。映像信号源５２において操作部から操作指令が与えられ、映像生成部３１から監視用映像混合部３３に原映像信号が与えられると、ステップｃ０からステップｃ１に移る。監視用映像は、赤、青および緑の色成分を含む予め定める単一色の映像としておく。表示駆動部１２は、以下の動作処理とは並行に動作して、与えられる映像信号に応じて映像表示部１１に映像を表示する。
【００７０】
ステップｃ１では、監視用映像混合部３３が、入力映像、すなわち原映像信号に監視用映像を付加して映像信号を生成し、映像信号を表示駆動部１２に与えて処理を開始して、ステップｃ２に移る。
【００７１】
ステップｃ２からステップｃ１０までの各動作処理は、前述した図５に示すフローチャートのステップａ１からステップａ９までの各ステップにそれぞれ対応し、それぞれ同様であるので、その説明を省略する。図９に示すフローチャートは、表示装置５１への電力の供給を停止することによって終了する。
【００７２】
表示装置５１では、監視用映像混合部３３にＬＡＮ２５からの映像信号を入力する部分が故障していたり、そもそも期待された映像信号が入力されていないことは検知できないが、映像信号源５２に特別な処理を追加しなくて良い利点がある。したがって表示装置５１では、前述の実施の形態の表示装置１と同様の効果を有し、監視用映像生成部３２および監視用映像混合部３３を有することによって、映像信号源５２として汎用の映像再生装置を用いることができ、汎用性を向上させることができる。
【００７３】
図１０は、本発明の実施の他の形態の表示装置６１と映像信号源５２とを含む表示システム６３の電気的構成を示すブロック図である。
【００７４】
表示システム６３は、表示装置６１と映像信号源５２とを含む。表示装置６１は、前述の実施の形態の表示装置１に類似する構成を有するので、同様の部分には同様の参照符号を付してその説明を省略する。
【００７５】
表示装置６１は、映像表示部１１と、表示駆動部１２と、バックライト１３と、バックライト駆動部１４と、制御部１５と、カラーセンサ１６と、センサ入力処理部２３と、色比較部２４と、警報出力部１８と、監視用映像生成部３２と、監視用映像混合部３３と、センサ部６４と、比較用映像記憶部６５とを含んで構成される。
【００７６】
表示装置６１は、図８に示す実施の形態の表示装置５１の構成に加えて、センサ部６４と、比較用映像記憶部６５とを含む構成である。
【００７７】
センサ部６４は、表示装置６１に発生する予め定める障害を検出する障害検出部であって、温度センサ６４ａおよび振動センサ６４ｂとを含んで構成される。温度センサ６４ａは、たとえばサーミスタによって実現され、振動センサ６４ｂは、たとえば加速度センサおよび歪センサなどによって実現される。表示装置１の振動は、たとえば悪戯によって発生する。温度センサ６４ａは、表示装置１において最も温度が高くなる部位、たとえば電源および排気口付近などに設けられる。センサ部６４は、温度を表す温度情報、加速度を表す加速度情報を含む環境情報を検出結果として、監視用映像生成部３２に与える。
【００７８】
監視用映像生成部３２は、センサ部６４における検出結果に応じて、監視用映像を生成する。温度センサ６４ａが検出した温度が予め定める温度以上のときに、予め定める第１の色で監視用映像を生成し、加速度センサが検出した加速度が予め定める加速度以上であるときに、予め定める第２の色で監視用映像を生成し、温度センサ６４ａが検出した温度が予め定める温度未満であり、かつ加速度センサが検出した加速度が予め定める加速度未満であるときに、予め定める第３の色で監視用映像を生成する。本実施の形態では、予め定める第１の色は、赤に選ばれ、予め定める第２の色は、青に選ばれ、予め定める第３の色は、白に選ばれる。このように予め定める第１の色、第２の色および第３の色は、相互に異なる色に選ばれる。
【００７９】
比較用映像記憶部６５は、色比較部２４で比較されるべき、色情報を記憶する。色情報は、前記第１の色と第２の色とにそれぞれ対応する色情報をそれぞれ記憶する。すなわち色比較部２４には、予め定める第１の色の情報と、予め定める第２の色の情報とが記憶される。
【００８０】
色比較部２４は、比較用映像記憶部６５に記憶される色情報と、検出部によって検出した色情報とを比較する。色比較部２４は、比較結果を警報出力部１８に与える。比較用映像記憶部６５に記憶される色情報は、第３の色の情報である。以下、第３の色の情報を通常色情報という場合がある。
【００８１】
警報出力部１８は、前記比較結果に応じて、予め定める障害発生情報を報知部３４に出力したり、映像表示部１１に予め定める障害発生情報を表示させたり、スピーカから予め定める障害発生情報を音声として出力したりする。
【００８２】
図１１は、映像表示部１１に映像信号に基づいて映像を表示させて示す図である。図１１（１）は、原映像、すなわちキャビネット３５によって隠していない部分（通常映像表示領域２２）に表示される映像を示す。図１１（２）は、異常が発生していないとき（通常）の監視用映像付映像、すなわち映像表示部１１の全表示領域（通常映像表示領域２２および監視用映像表示領域２１）に表示される映像を示す。図１１（３）は、温度異常が発生したときの監視用映像付映像を示す。図１１（４）は、振動異常が発生したときの監視用映像付映像を示す。通常の監視用映像付映像では、監視用映像表示領域２１に緑色の映像が表示され、温度異常が発生したときの監視用映像付映像では、監視用映像表示領域２１に赤色の映像が表示され、振動異常が発生したときの監視用映像付映像では、監視用映像表示領域２１に青色の映像が表示される。
【００８３】
図１２は、表示装置６１の動作処理を示すフローチャートである。表示装置６１において電源を投入すると、制御部１５がバックライト駆動部１４にバックライトを点灯させる指令をあたえ、また表示駆動部１２に、与えられる映像信号に応じて映像表示部１１に映像を表示させる指令を与える。映像信号源５２において操作部から操作指令が与えられ、映像生成部３１から監視用映像混合部３３に、原映像信号が与えられると、ステップｄ０からステップｄ１に移る。表示駆動部１２は、以下の動作処理とは並行に動作して、与えられる映像信号に応じて映像表示部１１に映像を表示する。
【００８４】
ステップｄ１では、監視用映像生成部３２が、センサ部６４の各種センサ、すなわち温度センサ６４ａおよび振動センサ６４ｂからの環境情報を取得して、ステップｄ２に移る。
【００８５】
ステップｄ２では、監視用映像生成部３２が、取得した環境情報に応じた監視用映像を生成して、ステップｄ３に移る。
【００８６】
ステップｄ３では、入力映像、すなわち映像生成部３１から与えられる映像信号に、監視用映像生成部３２から与えられる映像情報を付加して、表示駆動部１２に与え、ステップｄ４に移る。
【００８７】
ステップｄ４およびステップｄ５の各ステップは、図５に示すフローチャートのステップａ２およびステップａ３の各ステップに対応するので、その説明を省略する。
【００８８】
ステップｄ６において、色比較部２４が、比較用映像記憶部６５に記憶される通常色情報と、ステップａ５で得られた色情報の赤色の成分との誤差が、予め定める閾値未満であるか否かが判断される。ステップａ６で、予め定める閾値未満であると判断すると、ステップｄ７に移る。
【００８９】
ステップｄ７では、色比較部２４が、比較用映像記憶部６５に記憶される通常色情報と、ステップａ５で得られた色情報の青色の成分との誤差が、予め定める閾値未満であるか否かが判断される。ステップａ７で、予め定める閾値未満であると判断すると、ステップｄ８に移る。
【００９０】
ステップｄ８では、センサ部６４が、センサ部６４に付設されるタイマを監視して、予め定める時間の経過を監視し、予め定める時間が経過すると、ステップｄ１に移る。
【００９１】
前述したステップｄ６で、誤差が閾値以上であると判断すると、ステップｄ９に移る。ステップｄ９では、警報出力部１８が、報知部３４に、温度異常であることを示す警告を表示させる障害発生情報、および温度異常であることを示す警告音を出力させるための障害発生情報を与えて、ステップａ１０に移り処理動作を終了する。またステップｄ９では、警報出力部１８が、映像表示部１１に、温度異常を表す警告を表示させたり、スピーカから温度異常を表す警告音を出力させたりしてもよい。
【００９２】
ステップｄ７で、誤差が閾値以上であると判断すると、ステップｄ１１に移る。ステップｄ１１では、警報出力部１８が、報知部３４に、振動異常であることを示す警告を表示させる障害発生情報、および振動異常であることを示す警告音を出力させるための障害発生情報を与えて、ステップａ１０に移り処理動作を終了する。またステップｄ１１では、警報出力部１８が、映像表示部１１に、振動異常を表す警告を表示させたり、スピーカから振動異常を表す警告音を出力させたりしてもよい。図１２に示すフローチャートは、表示装置１への電力の供給を停止することによって終了する。
【００９３】
以上のように表示装置６１では、表示装置６１に発生し得る予め定める障害、すなわち温度が異常に高くなってしまう温度異常および激しい振動が生じる振動異常が発生すると、映像表示部１１の監視用映像表示領域２１には、発生した障害に応じた色の障害監視用の映像情報が表示される。カラーセンサ１６およびセンサ入力処理部２３によって、障害監視用の映像情報が映像として表示されたときの色を表す色情報を検出し、比較用の映像情報の色情報と、前記検出した色情報とを比較する。検出された色情報は、発生した予め定める障害に応じた色を表すので、この色が一致すれば、予め定める障害が発生していると判断でき、警報出力部１８が障害発生情報を出力することによって、表示装置１の異常を知ることができる。
【００９４】
また表示装置６１では、色比較部２４は、比較用の映像情報に含まれる色情報と、検出部によって検出した複数の色成分に対応する色情報とをそれぞれ比較し、警報出力部１８は、検出部によって検出した色情報と比較用の映像情報に含まれる色情報とが異なるとき、色情報が異なる色成分に対応する障害発生情報を出力するので、複数の障害のうちどの障害が発生したのかが判り、これによって障害への対応を速やかに行うことができる。
【００９５】
表示装置６１は、センサ部６４から直で検出信号を出力することができない場合に、好適に適用することができる。すなわちセンサ部６４に複数のセンサが含まれ、各センサから直で検出信号を出力する場合には、各センサについて検出信号を出力する経路を設ける必要があるが、本実施の形態ではセンサ部６４に複数のセンサが含まれていても、すなわち温度センサおよび振動センサについて検出した結果に応じて、１つの経路から障害発生情報を出力することができる。
【００９６】
図１３は、本発明の実施のさらに他の形態の表示装置７１と映像信号源５２とを含む表示システム７３の電気的構成を示すブロック図である。表示システム７３は、表示装置７１と映像信号源５２とを含む。表示装置７１は、前述の実施の形態の表示装置５１に類似する構成を有するので、同様の部分には同様の参照符号を付してその説明を省略する。
【００９７】
表示装置７１は、映像表示部１１と、表示駆動部１２と、バックライト１３と、バックライト駆動部１４と、制御部１５と、輝度センサ７５と、センサ入力処理部２３と、輝度比較部７６と、警報出力部１８と、監視用映像生成部７４と、監視用映像混合部３３と、センサ部６４と、比較用輝度記憶部７７とを含んで構成される。
【００９８】
表示装置７１は、図８に示す実施の形態の表示装置５１の構成、カラーセンサ１６、色比較部２４、監視用映像生成部３２に代えて、輝度センサ７５、輝度比較部７６、監視用映像生成部７４を含み、さらに比較用輝度記憶部７７を付加した構成である。監視用映像生成部７４は、白色の監視用映像を生成して、生成した監視用映像を監視用映像混合部３３に与える。
【００９９】
輝度センサ７５は、高感度のフォトダイオードによって実現され、前述したカラーセンサ１６と同様の位置に取り付けられ、監視用映像表示領域２１からの光を取得して、光電変換して電気信号を出力する。
【０１００】
センサ入力処理部２３は、輝度センサ７５から与えられる電気信号に応じて、輝度情報を生成する。輝度センサ７５およびセンサ入力処理部２３は、検出部を構成する。センサ入力処理部２３は、輝度センサ７５から出力されるアナログの電気信号を、アナログデジタル変換によって、デジタルデータにする。デジタルデータは、輝度センサ７５に入力された光の強度に対応し、光の強度を、たとえば２５６段階の数値で表す。
【０１０１】
比較用輝度記憶部７７は、輝度比較部７６で比較されるべき輝度情報を記憶する。輝度情報は、輝度の予め定める閾値を表す。
【０１０２】
輝度比較部７６は、比較用輝度記憶部７７に記憶される輝度情報と、検出部によって検出した輝度情報とを比較する。輝度比較部７６は、比較結果を警報出力部１８に与える。
【０１０３】
警報出力部１８は、前記輝度比較部７６の比較結果に応じて、予め定める障害発生情報を報知部３４に出力したり、映像表示部１１に予め定める障害発生情報を表示させたり、スピーカから予め定める障害発生情報を音声として出力したりする。
【０１０４】
図１４は、表示装置７１の動作処理を示すフローチャートである。表示装置７１において電源を投入すると、制御部１５がバックライト駆動部１４にバックライトを点灯させる指令をあたえ、また表示駆動部１２に、与えられる映像信号に応じて映像表示部１１に映像を表示させる指令を与える。映像信号源５２において操作部から操作指令が与えられ、映像生成部３１から監視用映像混合部３３に原映像信号が与えられると、ステップｅ０からステップｅ１に移る。表示駆動部１２は、以下の動作処理とは並行に動作して、与えられる映像信号に応じて映像表示部１１に映像を表示する。
【０１０５】
ステップｅ１では、監視用映像生成部７４が白色の監視用映像を生成する処理を開始して、ステップｅ２に移る。ステップｅ２では、監視用映像混合部３３が、入力映像、すなわち原映像信号に監視用映像を付加し、監視用映像付映像信号を生成して、表示駆動部１２に与える処理を開始して、ステップｅ３に移る。
【０１０６】
ステップｅ３では、輝度センサ７５およびセンサ入力処理部２３によって画面の監視用映像表示領域２１からの光に応じて輝度情報を取得して、ステップａ３に移る。
【０１０７】
ステップｅ４では、輝度比較部７６が、ステップｅ３で取得した輝度情報の輝度が、比較用輝度記憶部７７に記憶される予め定める閾値以上であるか否かが判断される。ステップｅ４で、予め定める閾値以上であると判断すると、ステップｅ５に移り、予め定める閾値未満であると判断すると、ステップｅ６に移る。
【０１０８】
ステップｅ５では、輝度比較部７６が輝度比較部７６に付設されるタイマを監視して、予め定める時間の経過を監視し、予め定める時間が経過すると、ステップｅ３に移る。
【０１０９】
またステップｅ６では、警報出力部１８が、報知部３４に、警告を表示させる障害発生情報、および警告音を出力させるための障害発生情報の少なくともいずれか一方を与えて、ステップｅ７に移り処理動作を終了する。図１４に示すフローチャートは、表示装置１への電力の供給を停止することによって終了する。
【０１１０】
表示装置７１では、環境によって生じる映像表示部１１の劣化によって発生する映像表示部１１における輝度が経年降下を検知することができる。したがって、屋外に設けられるインフォメーションディスプレイに好適に用いることができる。
【０１１１】
また表示装置７１では、監視用映像表示領域２１に単一色の監視用映像を表示するので、液晶表示パネルによって実現される映像表示部１１とバックライト１３との間に輝度センサ７５を配置せず、映像表示部１１の表示面上からでも輝度センサによって輝度を測定することが可能となる。
【０１１２】
図１５は、本発明の実施のさらに他の形態の表示装置８１と映像信号源５２とを含む表示システム８３の電気的構成を示すブロック図である。表示システム８３は、表示装置７１と映像信号源５２とを含む。表示装置７１は、前述の実施の形態の表示装置５１に類似する構成を有するので、同様の部分には同様の参照符号を付してその説明を省略する。
【０１１３】
表示装置８１は、映像表示部１１と、表示駆動部１２と、バックライト１３と、バックライト駆動部１４と、制御部１５と、カラーセンサ１６と、センサ入力処理部２３と、色比較部２４と、色調整部８４と、監視用映像生成部８５と、監視用映像混合部３３と、比較用映像記憶部８７とを含んで構成される。
【０１１４】
表示装置８１は、図８に示す実施の形態の表示装置５１の構成、監視用映像生成部３２に代えて、監視用映像生成部８５を含み、さらに色調整部８４および比較用映像記憶部８７を付加した構成である。監視用映像生成部８５は、ホワイトバランス（Ｗ／Ｂ）を調整するための監視用映像を生成して、生成した監視用映像を監視用映像混合部３３に与える。ホワイトバランス（Ｗ／Ｂ）を調整するための監視用映像は、白を表す。このような白の監視用映像は、赤：緑：青が、約１：約１：約１の割合で含まれる。
【０１１５】
比較用映像記憶部８７は、色比較部２４で比較されるべき色情報を記憶する。比較用映像記憶部８７に記憶される色情報は、各色成分である赤、青および緑色の予め定める規定比率を表す。
【０１１６】
色比較部２４は、比較用映像記憶部８７に記憶される色情報と、検出部によって検出した色情報とを比較する。色比較部２４は、比較結果を色調整部８４に与える。たとえば、比較用映像記憶部８７に記憶される色情報と比較し、検出部によって検出した色情報の青成分の他の色成分との比率が、予め定める閾値よりも大きい場合は、色比較部２４は色調整部８４に対し、青成分の出力を下げるように伝える。逆に青成分が他の色成分よりも比率が小さい場合は、色調整部８４に対し、青の色成分の出力を上げるように伝える。他の色成分との比率を調べる方法は、たとえば赤、青、緑の成分の平均を１００としてその平均との比率でどれだけ大きいかあるいは小さいかを調べることができる。
【０１１７】
色調整部８４は、赤、青、緑の色成分をどの様な比率で出力するのかを、規定された比率に近づけるように、色調整部８４を調整する。具体的には、色調整部８４は表示駆動部１２の映像信号入力の赤、緑、青の色成分に対し、それぞれ別の倍率を与えて映像出力部１１に表示させることで色調整を行う。
【０１１８】
また色調整部８４は、色調整結果を表す情報を、報知部３４にＬＡＮ２５を介して与える。報知部３４は、色調整結果を表す情報を報知することによって、管理施設において、表示装置１が色調整を行ったことを知ることができる。本発明の実施のさらに他の形態では、色調整部８４は、報知部３４に色調整結果を表す情報を送らない構成としてもよい。このような構成であっても、表示装置８１では、正しく映像を表示しているかを検知して、色の調整を行うことができ、同様の効果を達成することができる。
【０１１９】
図１６は、表示装置８１の動作処理を示すフローチャートである。表示装置８１において電源を投入すると、制御部１５がバックライト駆動部１４にバックライトを点灯させる指令をあたえ、また表示駆動部１２に、与えられる映像信号に応じて映像表示部１１に映像を表示させる指令を与える。映像信号源５２において操作部から操作指令が与えられ、映像生成部３１から監視用映像混合部３３に、原映像信号が与えられると、ステップｆ０からステップｆ１に移る。ホワイトバランスを調整するための監視用映像は、赤、青および緑の色成分の比率が１：１：１となる単一色の映像としておく。表示駆動部１２は、以下の動作処理とは並行に動作して、与えられる映像信号に応じて映像表示部１１に映像を表示する。
【０１２０】
ステップｆ１は、図９に示すフローチャートのステップｃ２に対応し、ステップｆ２およびｆ３は、それぞれ図５に示すフローチャートのステップａ２およびａ３にそれぞれ対応するので、その説明を省略する。
【０１２１】
ステップｆ３が終了するとステップｆ４に移り、ステップｆ４では、色調整部８４が、各色成分の比率が規定比率の予め定める閾値未満であるか否かを判断し、予め定める閾値未満であると判断すると、ステップｆ５に移り、予め定める閾値未満ではないと判断すると、ステップｆ６に移る。
【０１２２】
ステップｆ５は、図５のフローチャートのステップａ７に対応するので、その説明を省略する。ステップａ７が終了すると、ステップｆ１に移る。
【０１２３】
ステップｆ６では、赤、青、緑成分の比率が規定された比率に近づくように、色調整部８４を調整して、調整結果を表す情報を報知部３４に与えて、ステップｆ１に移る。図１６に示すフローチャートは、表示装置８１への電力の供給を停止することによって終了する。
【０１２４】
以上のように表示装置８１によれば、表示駆動部１２が、映像表示部１１の監視用映像表示領域２１に表示すべき監視用映像情報を付加して成る映像信号に応じて、映像表示部１１に映像を表示させることによって、映像表示部１１の監視用映像表示領域２１には、ホワイトバランスを調整するための監視用映像情報が映像として表示される。検出部が、監視用映像情報が映像として表示されたときの色を表す色情報を検出し、比較用映像情報の色情報と、前記検出した色情報とを比較する。検出部によって検出された色情報は、比較用映像情報と同じ色を表すはずであるが、この色情報が異なれば、表示すべき映像が正しく表示されていないことを検知することができ、色調整部８４が赤、青、緑成分の比率が規定された比率に近づくように、色調整部８４を調整することによって、表示装置８１は、映像信号に基づいて正しい色で表示することができるようになる。これによって、たとえば経年劣化による色の変化を抑制することができ、頻繁なメンテナンスを行う必要がなくなり、管理施設から遠隔地に設置するインフォメーションディスプレイとして好適に実施することができる。
【０１２５】
表示装置８１では、ホワイトバランスの調整を動的に、すなわち広告などを表示させたまま行うことができ、ホワイトバランスを調整するために映像表示部１１を調整のためだけに用いることが防止される。
【０１２６】
前述した映像信号源５２は、報知部３４を備えず、汎用ＤＶＤ（Digital Versatile   disc）プレーヤによって実現されてもよい。これによって汎用性をより向上させることができる。
【０１２７】
また前述した各実施の形態の表示装置は、インフォメーションディスプレイとして好適に用いることができ、映像表示部１１は、液晶表示パネルによって実現されているが、映像表示部１１は液晶表示パネルに限らず、たとえばプラズマ表示パネル、ＥＬ（Electro Luminescence）表示パネルなど、多種の表示パネルを用いることができる。プラズマ表示パネル、ＥＬ（Electro Luminescence）表示パネルなどの自発光型の表示パネルを用いる場合には、バックライト１３およびバックライト駆動部１４は必要ない。
【０１２８】
またカラーセンサ１６および輝度センサ７５は、１個でもよく、複数設けてもよい。たとえば表示駆動部１２が複数の駆動ドライバを有するときには、各駆動ドライバが表示を担当する領域ごとにカラーセンサ１６を設けたり、輝度センサ７５を設けたりすることによって、信頼性をより向上させることができる。
【図面の簡単な説明】
【０１２９】
【図１】本発明の実施の一形態の表示装置１と映像信号源２とを含む表示システム３の電気的構成を示すブロック図である。
【図２】表示システム３の外観図である。
【図３】図２の切断面線ＩＩＩ−ＩＩＩから見た断面図である。
【図４】映像信号に基づいて映像表示部１１に映像を表示させて示す図である。
【図５】表示装置１の動作処理を示すフローチャートである。
【図６】本発明の実施の他の形態の表示装置４１と映像信号源４２とを含む表示システム４３の電気的構成を示すブロック図である。
【図７】表示装置４１の動作処理を示すフローチャートである。
【図８】本発明の実施の他の形態の表示装置５１と映像信号源５２とを含む表示システム５３の電気的構成を示すブロック図である。
【図９】表示装置５１の動作処理を示すフローチャートである。
【図１０】本発明の実施の他の形態の表示装置６１と映像信号源５２とを含む表示システム６３の電気的構成を示すブロック図である。
【図１１】映像表示部１１に映像信号に基づいて映像を表示させて示す図である。
【図１２】表示装置６１の動作処理を示すフローチャートである。
【図１３】本発明の実施のさらに他の形態の表示装置７１と映像信号源５２とを含む表示システム７３の電気的構成を示すブロック図である。
【図１４】表示装置７１の動作処理を示すフローチャートである。
【図１５】本発明の実施のさらに他の形態の表示装置８１と映像信号源５２とを含む表示システム８３の電気的構成を示すブロック図である。
【図１６】表示装置８１の動作処理を示すフローチャートである。
【符号の説明】
【０１３０】
１，４１，５１，６１，７１，８１  表示装置
２，４２，５２  映像信号源
３  表示システム
１１  映像表示部
１２  表示駆動部
１５  制御部
１６  カラーセンサ
１８  警報出力部
２１  監視用映像表示領域
２３  センサ入力処理部
２４  色比較部
２４  輝度色比較部
３１  映像生成部
３２，７４，８５  監視用映像生成部
３３  監視用映像混合部
３４  報知部
３５  キャビネット
４４  監視用映像分離部
６４  センサ部
６５，８７  比較用映像記憶部
７５  輝度センサ
７６  輝度比較部
７７  比較用輝度記憶部
８４  色調整部
【図１】
2008165055.tif 000003
【図２】
2008165055.tif 000004
【図３】
2008165055.tif 000005
【図４】
2008165055.tif 000006
【図５】
2008165055.tif 000007
【図６】
2008165055.tif 000008
【図７】
2008165055.tif 000009
【図８】
2008165055.tif 000010
【図９】
2008165055.tif 000011
【図１０】
2008165055.tif 000012
【図１１】
2008165055.tif 000013
【図１２】
2008165055.tif 000014
【図１３】
2008165055.tif 000015
【図１４】
2008165055.tif 000016
【図１５】
2008165055.tif 000017
【図１６】
2008165055.tif 000018